(57)【要約】      （修正有）【課題】演技において片手で扇面を開閉することが可能な開閉機構及び扇子を提供する。【解決手段】扇子の親骨ａ３、親骨ｂ４が密着している部分に開閉動作の為に親骨が搖動しやすいように、てこ動作用スペーサー２を挟み込みかつ、搖動の自由度を与えるてこ動作用座ぐり６を設けて、片側の親骨ａ３の頭部分を長くした部分に指でトルク（回転モーメント）を与えることにより扇子を開くことが実現する。又開いた後は、トルクを加え続けることで開いた状態を安定して保持でき、閉じる際にも、逆の方向のトルク（回転モーメント）を加えることで扇子を閉じることが可能となる。これにより、日本舞踊、歌舞伎、能といった従来の扇子利用はもとより、幅広い演技分野において伝統的工芸品である扇子の利用が増加し、よさこい祭りの演技や、ダンス種目等での表現力を高める効果が期待できる。【選択図】図１
0003200894.tif 000002
【実用新案登録請求の範囲】
【請求項１】
片手で開閉することを実現する為に下記の形態を備えたことを特徴とする扇骨構造を持った扇子。
てこの原理を利用できるよう片側の親骨の頭部分を長く設定し、これにトルク（回転モーメント）を与えることで扇子を開閉し、またこれを指で軽く固定することで地紙（扇面）を開いた状態で保持できる
【請求項２】
片手で開閉することを実現する為に下記の形態を備えたことを特徴とする扇骨構造を持った扇子。
てこの原理によるトルク（回転モーメント）を親骨に伝えるために回転する際に折りたたまれた紙が伸びようとする事を妨げないように要部分に設けられた摺動部に搖動しやすく働くスペーサーとそれを挟む親骨の穴に設けられた逃げの為の座ぐりにより運動時に自由度を与えて、地紙（扇面）のスムーズな開閉を実現する。
【考案の詳細な説明】
【技術分野】
【０００１】  本考案は、扇子の扇骨構造に関し、開く、閉じるという基本動作を利用者が片手で操作する事を可能とし、又開いた状態を片手で保持しやすくする扇子構造に係わる
【背景技術】
【０００２】  従来から、扇子はその基本構造により折りたたまれた扇面を開くことを、扇骨の両端にある親骨の弾性力によって抑えてしまうという現実により、片手でスムーズに開くことは困難とされていた。その為演技に使われる場合は両手で開いてから演技に入り、演技終了時には開いた状態で終えるといった制約が入ってしまう事にならざるを得なかった。【０００３】  例えば、従来構造においては、扇子を開く回転支点となる要の固定において、隙間を設けたり、親骨と呼ぶ外側の骨の彎曲する量を減らす等、弱い力でも開きやすくするといった場合もあった。しかし片手の操作で全てを行えるまでには至らず又、開ききった状態をうまく保持しにくかった
【先行技術文献】
【０００４】
【特許文献１】特開２００９−１７３２８号公報
【考案の概要】
【考案が解決しようとする課題】
【０００５】  特許文献１記載の扇子構造は本来の構成部材である骨、紙、要以外の部材が必要となり材料コスト、加工コスト共に過剰にかかってしまう。又演技利用といった動きの激しい使用状況に耐えることへは更なる工夫が必要となる。又  さらに閉じた状態保持にも演技者の手の力が必要となる【０００６】  本考案は、発明以来利用され続けてきた伝統的な扇子の基本構造に忠実に従っていて、かつ力学的な演技者の手の力だけを使った扇子開閉の手段を実現できるものである。【０００７】  本考案によれば、利き手の指の力で素早く扇子を開き切ることが可能となり、又演技中にはその開くのに利用した指を当てておくだけで、激しい動作にも扇面が閉じてしまって演技に支障が出る心配もない【０００８】  本考案によれば、扇面を開いて行う動作の間に扇子を簡単に閉じて次の動作に移るといった、演技における扇子利用のバリエーションを広げることも可能となる。当然演技終了時に扇子を閉じて終えることも可能である。
【課題を解決するための手段】
【０００９】  本考案の扇子の扇骨構造は、従来の扇骨を構成する親骨と呼ぶ扇面の開閉動作に使う扇骨の形状を一部変更し、てこの原理を応用して力が簡単に加えられるよう頭の長さを延長し、。ここに回転モーメントを与えて扇子を開閉し、又この与えた力を保持することにより開いた状態を保つものである。【００１０】  又、てこの原理を簡単に行えるよう要と呼ばれる回転中心に、親骨の密着部の間へ部材を挟み込み、てこの動きをする親骨の要が通る貫通穴に余裕を与えて部材を支点としてスムーズな搖動と回転を可能にしたものである
【考案の効果】
【００１１】  本考案の扇子の扇骨構造によれば、片手で扇子を簡単に開閉することが可能となり、幅広い演技分野において伝統的工芸品である扇子の利用が増加し、よさこい祭りや演劇、学校教育でも適用されたダンス種目等での表現力を高める効果が期待でき、演技者の技術向上にも大きく貢献できる
【考案を実施するための形態】
【００１２】  以下、本考案の扇子の扇骨構造をその実施の最良の形態について図面に示す実施例に基づいて具体的に説明する。
【００１３】  図１は本考案の要部分の拡大断面図である。親骨ａ３のみ力点となる頭部分を通常より長くしてある。親骨ａ３が指の動作により、てこの原理によって作動し扇子を開く。その際に１の要のシャフトに通して、両側の親骨の密着部に挟み込まれたてこ動作用スペーサー２が動作のための空間を作り、支点の役割を行う。
図２は扇子を開く際の本考案の動作原理を要の部分について、力がかかった状態での断面図で表している。てこの動作時にはてこ動作用座ぐり６が搖動と回転運動のスムーズな運動の補助的役割を行う
【００１４】  図３は本考案を実施した扇子の左側面図である。扇骨部分の開閉動作に対して地紙７の折り畳まれた部分が追従して開いていく。
【００１５】  以下にこれらの構造を利用した扇子開閉の動作手順を説明するが、本考案を実施するに当たり、この説明・手順に限定されるものではない。
【００１６】  本実施例では、扇子を開こうとしている図４に示す通り、通常の形状をした親骨ｂ４の上に親指を当てて、中指はもう一方の親骨ａ３に当て、残った指は扇子の保持に使用する。中指は親骨ａ３を扇子が開く方向にトルク（回転モーメント）を加える。
【００１７】  扇子が開き切った状態を図５に示す。この時中指は親骨ａ３に加えた力を加え続けることにより、扇子が開き切った状態を保持し続ける。
【００１８】  扇子を閉じようとする場合は、開くのに力を加えている親骨ａ３に逆方向のトルク（回転モーメント）を与えることにより、扇子を完全に閉じることが可能となる。
【図面の簡単な説明】
【００１９】
【図１】本考案の扇骨構造の扇子の要部分の断面図である。
【図２】本考案の扇骨構造の扇子に開こうとするトルクが加わった際の要部分の状態を表す断面図である
【図３】本考案の扇骨構造の扇子の左側面図である。
【図４】本考案の扇骨構造の扇子を実際に手で開こうとしている時の状態図である。
【図５】本考案の扇骨構造の扇子を実際に手で開いて保持している状態図である。
【符号の説明】
【００２０】１・・・・・・・要（扇骨回転中心）シャフトを含む
２・・・・・・・てこ動作用スペーサ（座金）
３・・・・・・・親骨ａ（てこ動作用）
４・・・・・・・親骨ｂ
５・・・・・・・中骨
６・・・・・・・てこ動作用座ぐり（穴追加工）
７・・・・・・・地紙（扇面）
【図１】
0003200894.tif 000003
【図２】
0003200894.tif 000004
【図３】
0003200894.tif 000005
【図４】
0003200894.tif 000006
【図５】
0003200894.tif 000007